【手続補正書】
【提出日】平成27年9月28日(2015.9.28)
【手続補正１】
【補正対象書類名】明細書
【補正対象項目名】０１４５
【補正方法】変更
【補正の内容】
【０１４５】
結果：
パターン化した接着剤の構造化表面に当たった光は、パターン化した接着剤を有さない縁部から入るよりも多くの光を導光体中で拡散するのが確認された。図６を参照すると、写真の左側における光パターンは、パターン化した接着剤を有さない領域であり、写真の右側における光パターンは、パターン化した接着剤を有する領域である。以下、本発明の実施形態を列記する。
〔１〕
転写テープであって、
第１の主表面及び第２の主表面を有し光透過性組成物を含む接着層を含み、
前記光透過性組成物は、架橋高分子組成物を含み、
前記第１の主表面又は前記第２の主表面のうちの少なくとも１つは、該表面上に微細構造化パターンを有し、前記微細構造化パターンは接着面の永続的な特徴となっており、前記微細構造化表面は光の方向を変更する、転写テープ。
〔２〕
前記架橋高分子組成物は、
２０℃未満のＴｇ、及び酸性官能基又は塩基性官能基を有する低Ｔｇ高分子成分と、
２０℃を超えるＴｇ、及び酸性官能基又は塩基性官能基を有する高Ｔｇ高分子成分と
を含み、
前記低Ｔｇ高分子成分の官能基及び前記高Ｔｇ高分子成分の官能基は、混合すると、酸−塩基相互作用を形成する、項目１に記載の転写テープ。
〔３〕
前記低Ｔｇ高分子成分は、感圧性接着剤を含む、項目２に記載の転写テープ。
〔４〕
前記感圧性接着剤は、（メタ）アクリレート系感圧性接着剤を含む、項目３に記載の転写テープ。
〔５〕
前記低Ｔｇ高分子成分は、シリコーン変性されている、項目２に記載の転写テープ。
〔６〕
前記高Ｔｇ高分子成分は、２０℃を超えるＴｇを有する少なくとも１つの（メタ）アクリレート系ポリマーを含む、項目２に記載の転写テープ。
〔７〕
前記光透過性組成物は、
５０〜８０重量％の低Ｔｇ高分子成分と、
２０〜５０重量％の高Ｔｇ高分子成分と、を含む、項目２に記載の転写テープ。
〔８〕
前記接着層は、感圧性接着層ではない、項目１に記載の転写テープ。
〔９〕
前記接着層は、１．４〜１．８の範囲の屈折率を有する、項目１に記載の転写テープ。
〔１０〕
前記接着層の前記微細構造化表面に取り付けられた微細構造化剥離ライナーを更に含む、項目１に記載の転写テープ。
〔１１〕
物品の製造方法であって、
接着層及び剥離ライナーを含む転写テープを調製する工程と、
前記転写テープを基材に取り付ける工程と、
前記転写テープの前記剥離ライナーを取り除く工程と
を含み、
前記転写テープは、第１の主表面及び第２の主表面を有し光透過性組成物を含む接着層を含み、
前記光透過性組成物は、架橋高分子組成物を含み、
前記第１の主表面又は前記第２の主表面のうちの少なくとも１つは、該表面上に微細構造化パターンを有し、前記微細構造化パターンは接着面の永続的な特徴となっており、前記微細構造化表面は光の方向を変更する、方法。
〔１２〕
前記架橋高分子組成物は、
２０℃未満のＴｇ、及び酸性官能基又は塩基性官能基を有する低Ｔｇ高分子成分と、
２０℃を超えるＴｇ、及び酸性官能基又は塩基性官能基を有する高Ｔｇ高分子成分と
を含み、
前記低Ｔｇ高分子成分の官能基及び前記高Ｔｇ高分子成分の官能基は、混合すると、酸−塩基相互作用を形成する、項目１１に記載の方法。
〔１３〕
前記転写テープを調製する工程は、
微細構造化剥離ライナーを提供することと、
前記剥離ライナーの前記微細構造化表面上に光透過性組成物の層をコーティングすることと、を含む、項目１１に記載の方法。
〔１４〕
前記剥離ライナーの前記微細構造化表面上に光透過性組成物の層をコーティングする工程は、ホットメルトコーティング、溶媒系コーティング、又は１００％固体コーティングを含む、項目１３に記載の方法。
〔１５〕
前記コーティングした層を、乾燥、硬化又は架橋する工程を更に含む、項目１３に記載の方法。
〔１６〕
前記微細構造化剥離ライナーは、前記剥離ライナーの前記微細構造化表面上に材料の連続層又は非連続層を更に含む、項目１３に記載の方法。
〔１７〕
物品であって、
少なくとも１つの外面を有する基材と、
前記基材表面に接着した転写テープと
を含み、
前記転写テープは、第１の主表面及び第２の主表面を有し光透過性組成物を含む接着層を含み、
前記光透過性組成物は、架橋高分子組成物を含み、
前記第１の主表面又は前記第２の主表面のうちの少なくとも１つは、該表面上に微細構造化パターンを有し、前記微細構造化パターンは接着面の永続的な特徴となっており、前記微細構造化表面は光の方向を変更する、物品。
〔１８〕
前記架橋高分子組成物は、
２０℃未満のＴｇ、及び酸性官能基又は塩基性官能基を有する低Ｔｇ高分子成分と、
２０℃を超えるＴｇ、及び酸性官能基又は塩基性官能基を有する高Ｔｇ高分子成分と
を含み、
前記低Ｔｇ高分子成分の官能基及び前記高Ｔｇ高分子成分の官能基は、混合すると、酸−塩基相互作用を形成する、項目１７に記載の物品。
〔１９〕
前記基材及び前記接着層は、屈折率が互いの０．１以内である、項目１７に記載の物品。
〔２０〕
前記低Ｔｇ高分子成分は、少なくとも１つの（メタ）アクリレート系ポリマーを含む、項目１８に記載の物品。
〔２１〕
前記高Ｔｇ高分子成分は、少なくとも１つの（メタ）アクリレート系ポリマーを含む、項目１８に記載の物品。
〔２２〕
前記光透過性組成物は、
５０〜８０重量％の低Ｔｇ高分子成分と、
２０〜５０重量％の高Ｔｇ高分子成分と、を含む、項目１８に記載の物品。
〔２３〕
前記接着面の永続的な特徴である前記微細構造化パターンは、物品が前記接着面上の前記微細構造化パターンに接触することで、微細構造化パターンが可逆的に変形するように、変形可能である、項目１７に記載の物品。
〔２４〕
前記物品は、導光体を含む、項目１７に記載の物品。
【手続補正２】
【補正対象書類名】特許請求の範囲
【補正対象項目名】全文
【補正方法】変更
【補正の内容】
【特許請求の範囲】
【請求項１】
転写テープであって、
第１の主表面及び第２の主表面を有し光透過性組成物を含む接着層を含み、
前記光透過性組成物は、架橋高分子組成物を含み、
前記第１の主表面又は前記第２の主表面のうちの少なくとも１つは、該表面上に微細構造化パターンを有し、前記微細構造化パターンは接着面の永続的な特徴となっており、前記微細構造化表面は光の方向を変更する、転写テープ。
【請求項２】
前記架橋高分子組成物は、
２０℃未満のＴｇ、及び酸性官能基又は塩基性官能基を有する低Ｔｇ高分子成分と、
２０℃を超えるＴｇ、及び酸性官能基又は塩基性官能基を有する高Ｔｇ高分子成分と
を含み、
前記低Ｔｇ高分子成分の官能基及び前記高Ｔｇ高分子成分の官能基は、混合すると、酸−塩基相互作用を形成する、請求項１に記載の転写テープ。
【請求項３】
前記接着層は、１．４〜１．８の範囲の屈折率を有する、請求項１に記載の転写テープ。
【請求項４】
物品であって、
少なくとも１つの外面を有する基材と、
前記基材表面に接着した転写テープと
を含み、
前記転写テープは、第１の主表面及び第２の主表面を有し光透過性組成物を含む接着層を含み、
前記光透過性組成物は、架橋高分子組成物を含み、
前記第１の主表面又は前記第２の主表面のうちの少なくとも１つは、該表面上に微細構造化パターンを有し、前記微細構造化パターンは接着面の永続的な特徴となっており、前記微細構造化表面は光の方向を変更する、物品。
【請求項５】
前記架橋高分子組成物は、
２０℃未満のＴｇ、及び酸性官能基又は塩基性官能基を有する低Ｔｇ高分子成分と、
２０℃を超えるＴｇ、及び酸性官能基又は塩基性官能基を有する高Ｔｇ高分子成分と
を含み、
前記低Ｔｇ高分子成分の官能基及び前記高Ｔｇ高分子成分の官能基は、混合すると、酸−塩基相互作用を形成する、請求項４に記載の物品。
【請求項６】
前記物品は、導光体を含む、請求項４に記載の物品。